(57)【要約】      （修正有）【課題】強度を向上させる誘導加熱調理器を提供する。【解決手段】誘導加熱調理器は、第１被加熱物を載置するトッププレートユニットと、第１被加熱物を加熱する加熱部と、第２被加熱物を加熱するグリルユニットと、加熱部とグリルユニットとを制御する制御部と、加熱部、グリルユニット及び前記制御部を収納する筐体３と、を備え、筐体は、第１外郭ケース１０と、第１外郭ケースに接続される第２外郭ケース２０と、を有し、第１外郭ケースは、一端と他端とを有する第１底面部と、第１底面部の一端から上方へ向かって延びる第１側壁部と、第１底面部の他端から上方へ向かって延びる第２側壁部と、を有し、第２外郭ケースは、一端と他端とを有する第２底面部と、第２底面部の他端から上方へ向かって延びる第３側壁部と、を有し、第２底面部の一端は、第１底面部の他端側に接続される。【選択図】図４
2019192335.tif 000002
【特許請求の範囲】
【請求項１】
第１被加熱物を載置するトッププレートユニットと、
前記トッププレートユニット上に載置された前記第１被加熱物を加熱する加熱部と、
第２被加熱物を加熱するグリルユニットと、
前記加熱部と前記グリルユニットとを制御する制御部と、
前記加熱部、前記グリルユニット及び前記制御部を収納する筐体と、
を備え、
前記筐体は、第１外郭ケースと、前記第１外郭ケースに接続される第２外郭ケースと、を有し、
前記第１外郭ケースは、
一端と他端とを有する第１底面部と、
前記第１底面部の前記一端から上方へ向かって延びる第１側壁部と、
前記第１底面部の前記他端から上方へ向かって延びる第２側壁部と、
を有し、
前記第２外郭ケースは、
一端と他端とを有する第２底面部と、
前記第２底面部の前記他端から上方へ向かって延びる第３側壁部と、
を有し、
前記第２底面部の前記一端は、前記第１底面部の前記他端側に接続される、誘導加熱調理器。
【請求項２】
前記筐体は、前記筐体の内部を複数の空間に仕切る仕切り部材を備え、
前記第１外郭ケースの前記第１側壁部及び前記第２外郭ケースの前記第３側壁部は、前記第１外郭ケースの前記第２側壁部と比べて長く、
前記仕切り部材は、前記第２側壁部の上端に配置されると共に、前記第１側壁部と前記第３側壁部とに保持される、
請求項１に記載の誘導加熱調理器。
【請求項３】
前記グリルユニットは、前記第１外郭ケースの内部に配置される、請求項１又は２に記載の誘導加熱調理器。
【請求項４】
前記第１外郭ケースは、前記グリルユニットに取り付けられるグリルドアに接続される複数のレールユニットを有し、
前記複数のレールユニットは、前記第１外郭ケースの内部において、前記第１側壁部及び前記第２側壁部にそれぞれ配置される、
請求項３に記載の誘導加熱調理器。
【請求項５】
前記複数のレールユニットは、前記グリルユニットの側方に配置される、請求項４に記載の誘導加熱調理器。
【請求項６】
更に、
前記複数のレールユニットの間に配置されると共に、前記グリルドアに接続される複数のアームを備える、請求項４又は５に記載の誘導加熱調理器。
【請求項７】
更に、
前記複数のアームをガイドする複数のアームガイドを備え、
前記複数のアームガイドは、前記第１外郭ケースの内部において、前記第１側壁部及び前記第２側壁部にそれぞれ配置される、
請求項６に記載の誘導加熱調理器。
【請求項８】
前記第１外郭ケースの幅は、前記第２外郭ケースの幅より大きい、請求項１〜７のいずれか一項に記載の誘導加熱調理器。
【請求項９】
前記第２外郭ケースの前記第２底面部の前記一端は、前記第１外郭ケースの前記第１底面部の前記他端の下面側に配置されると共に、１つ又は複数のビスによって固定される、請求項１〜８のいずれか一項に記載の誘導加熱調理器。
【請求項１０】
前記第１外郭ケースの前記第１底面部の上面又は前記第２外郭ケースの前記第２底面部の上面の少なくともいずれか一方には、水分を貯水する１つ又は複数の凹部が形成されている、請求項１〜９のいずれか一項に記載の誘導加熱調理器。
【発明の詳細な説明】
【技術分野】
【０００１】
本発明は、誘導加熱調理器に関する。
【背景技術】
【０００２】
特許文献１には、天板と外郭ケースとの一体化構成において、天板の上面部と外郭ケースとのおよそ中間の位置に中位平面部を設けて構成した組込式誘導加熱調理器が開示されている。
【先行技術文献】
【特許文献】
【０００３】
【特許文献１】特開平１０−３０２９４９号公報
【発明の概要】
【発明が解決しようとする課題】
【０００４】
近年、誘導加熱調理器の強度を向上させることが求められている。
【０００５】
したがって、本発明の目的は、前記課題を解決することにあって、強度を向上させた誘導加熱調理器を提供することである。
【課題を解決するための手段】
【０００６】
前記目的を達成するために、本発明の一態様に係る誘導加熱調理器は、
第１被加熱物を載置するトッププレートユニットと、
前記トッププレートユニット上に載置された前記第１被加熱物を加熱する加熱部と、
第２被加熱物を加熱するグリルユニットと、
前記加熱部と前記グリルユニットとを制御する制御部と、
前記加熱部、前記グリルユニット及び前記制御部を収納する筐体と、
を備え、
前記筐体は、第１外郭ケースと、前記第１外郭ケースに接続される第２外郭ケースと、を有し、
前記第１外郭ケースは、
一端と他端とを有する第１底面部と、
前記第１底面部の前記一端から上方へ向かって延びる第１側壁部と、
前記第１底面部の前記他端から上方へ向かって延びる第２側壁部と、
を有し、
前記第２外郭ケースは、
一端と他端とを有する第２底面部と、
前記第２底面部の前記他端から上方へ向かって延びる第３側壁部と、
を有し、
前記第２底面部の前記一端は、前記第１底面部の前記他端側に接続される。
【発明の効果】
【０００７】
本発明に係る誘導加熱調理器によれば、強度を向上させることができる。
【図面の簡単な説明】
【０００８】
【図１】図１は、本発明の実施の形態１に係る誘導加熱調理器の一例の斜視図である。
【図２】図２は、本発明の実施の形態１に係る誘導加熱調理器の一例の別の斜視図である。
【図３】図３は、本発明の実施の形態１に係る誘導加熱調理器の一例の制御ブロック図である。
【図４】図４は、筐体の一例の斜視図である。
【図５】図５は、第１外郭ケースと第２外郭ケースとを組み立てた状態の一例の斜視図である。
【図６】図６は、第１外郭ケース及び第２外郭ケースの一例の分解斜視図である。
【図７】図７は、図５に示す第１外郭ケース及び第２外郭ケースの接続部分を拡大した部分拡大図である。
【図８】図８は、第１外郭ケースにグリルユニットを配置した状態の一例を示す斜視図である。
【図９】図９は、第１外郭ケースに複数のレールユニットが取り付けられた状態の一例を示す斜視図である。
【図１０】図１０は、第１外郭ケースに複数のレールユニットが取り付けられた状態の一例を示す別の斜視図である。
【図１１】図１１は、第１外郭ケースから複数のレールを引き出した状態の一例を示す斜視図である。
【図１２】図１２は、第１外郭ケース及び第２外郭ケースの一例を上から見た斜視図である。
【図１３】図１３は、第１外郭ケースの一例の平面図である。
【図１４】図１４は、グリルドアを開いた状態の一例を示す斜視図である。
【図１５】図１５は、グリルドアを開いた状態の一例を示す別の斜視図である。
【図１６】図１６は、第１外郭ケース及び第２外郭ケースのそれぞれに形成された凹部の一例を示す平面図である。
【発明を実施するための形態】
【０００９】
（本開示の基礎となった知見）
誘導加熱調理器において、例えば、筐体を構成する外郭ケースは、一体形成された板状部材の両端を上方に屈曲することによって形成されている。
【００１０】
このような誘導加熱調理器においては、外郭ケースの内部に収納される部品、例えば、グリルユニット、加熱部、及び制御部などの重さによって、外郭ケースが撓んでしまい、変形してしまう場合がある。この場合、グリルユニットに取り付けられたグリルドアが開かなくなったり、加熱部と被加熱物との間の距離が大きくなり、加熱効率が低下するという問題が生じる。
【００１１】
そこで、本発明者らは、誘導加熱調理器において、外郭ケースの撓みを抑制することを検討し、第１外郭ケースと第２外郭ケースとを組み合わせることによって筐体の強度を向上させる構成を見出した。
【００１２】
以下、本発明について説明する。
【００１３】
本発明の第１態様の誘導加熱調理器は、
第１被加熱物を載置するトッププレートユニットと、
前記トッププレートユニット上に載置された前記第１被加熱物を加熱する加熱部と、
第２被加熱物を加熱するグリルユニットと、
前記加熱部と前記グリルユニットとを制御する制御部と、
前記加熱部、前記グリルユニット及び前記制御部を収納する筐体と、
を備え、
前記筐体は、第１外郭ケースと、前記第１外郭ケースに接続される第２外郭ケースと、を有し、
前記第１外郭ケースは、
一端と他端とを有する第１底面部と、
前記第１底面部の前記一端から上方へ向かって延びる第１側壁部と、
前記第１底面部の前記他端から上方へ向かって延びる第２側壁部と、
を有し、
前記第２外郭ケースは、
一端と他端とを有する第２底面部と、
前記第２底面部の前記他端から上方へ向かって延びる第３側壁部と、
を有し、
前記第２底面部の前記一端は、前記第１底面部の前記他端側に接続される。
【００１４】
本発明の第２態様の誘導加熱調理器においては、前記筐体は、前記筐体の内部を複数の空間に仕切る仕切り部材を備え、
前記第１外郭ケースの前記第１側壁部及び前記第２外郭ケースの前記第３側壁部は、前記第１外郭ケースの前記第２側壁部と比べて長く、
前記仕切り部材は、前記第２側壁部の上端に配置されると共に、前記第１側壁部と前記第３側壁部とに保持されてもよい。
【００１５】
本発明の第３態様の誘導加熱調理器においては、前記グリルユニットは、前記第１外郭ケースの内部に配置されてもよい。
【００１６】
本発明の第４態様の誘導加熱調理器においては、前記第１外郭ケースは、前記グリルユニットに取り付けられるグリルドアに接続される複数のレールユニットを有し、
前記複数のレールユニットは、前記第１外郭ケースの内部において、前記第１側壁部及び前記第２側壁部にそれぞれ配置されてもよい。
【００１７】
本発明の第５態様の誘導加熱調理器においては、前記複数のレールユニットは、前記グリルユニットの側方に配置されてもよい。
【００１８】
本発明の第６態様の誘導加熱調理器においては、前記複数のレールユニットの間に配置されると共に、前記グリルドアに接続される複数のアームを備えてもよい。
【００１９】
本発明の第７態様の誘導加熱調理器においては、前記複数のアームをガイドする複数のアームガイドを備え、
前記複数のアームガイドは、前記第１外郭ケースの内部において、前記第１側壁部及び前記第２側壁部にそれぞれ配置されてもよい。
【００２０】
本発明の第８態様の誘導加熱調理器においては、前記第１外郭ケースの幅は、前記第２外郭ケースの幅より大きくてもよい。
【００２１】
本発明の第９態様の誘導加熱調理器においては、前記第２外郭ケースの前記第２底面部の前記一端は、前記第１外郭ケースの前記第１底面部の前記他端の下面側に配置されると共に、１つ又は複数のビスによって固定されてもよい。
【００２２】
本発明の第１０態様の誘導加熱調理器においては、前記第１外郭ケースの前記第１底面部の上面又は前記第２外郭ケースの前記第２底面部の上面の少なくともいずれか一方には、水分を貯水する１つ又は複数の凹部が形成されていてもよい。
【００２３】
以下、本開示の実施形態について、添付の図面を参照しながら説明する。また、各図においては、説明を容易なものとするため、各要素を誇張して示している。
【００２４】
（実施の形態１）
［全体構成］
本発明の実施の形態１に係る誘導加熱調理器の一例について説明する。図１は、本発明の実施の形態１に係る誘導加熱調理器１の一例の分解斜視図である。図２は、本発明の実施の形態１に係る誘導加熱調理器の一例の別の斜視図である。図中において、Ｘ，Ｙ及びＺ方向は、それぞれ、誘導加熱調理器１の幅方向、奥行き方向、及び高さ方向を意味する。
【００２５】
実施の形態１では、一例として、システムキッチンのキャビネットに組み込まれて使用される、組み込み型の誘導加熱調理器１を説明する。なお、誘導加熱調理器１は、キッチン台の上に置いて使用される据え置きタイプ、又は食卓テーブルなどの卓上に置いて使用される卓上タイプなどであってもよい。
【００２６】
図１及び図２に示すように、誘導加熱調理器１は、鍋等の被加熱物を載置するトッププレートユニット２と、トッププレートユニット２が配置される筐体３と、を備える。また、誘導加熱調理器１の筐体３の前面側には、グリルドア４及びフロントパネル５が取り付けられている。グリルドア４は、筐体３内部に収納されたグリルユニット６に取り付けられている。
【００２７】
図３は、本発明の実施の形態１に係る誘導加熱調理器の一例の制御ブロック図である。図３に示すように、誘導加熱調理器１は、グリルユニット６、加熱部７、制御部８、及び操作部９を備える。グリルユニット６、加熱部７、及び制御部８は、筐体３の内部に収納されている。操作部９は、フロントパネル５に配置されている。例えば、フロントパネル５を誘導加熱調理器１の前面側に引き出すことによって、操作部９が引き出される。
【００２８】
＜トッププレートユニット＞
図１及び図２に戻って、トッププレートユニット２は、トッププレートと、トッププレートを保持するフレームとを備える。トッププレートユニット２は、筐体３の上部に配置される。トッププレートユニット２の上面側には、被加熱物が載置される。なお、本明細書では、トッププレートユニット２上に載置される被加熱物を第１被加熱物と称する場合がある。
【００２９】
＜筐体＞
筐体３は、グリルユニット６、加熱部７、及び制御部８を内部に収納するケースである。また、筐体３の前面側には、グリルドア４及びフロントパネル５が取り付けられている。
【００３０】
＜グリルユニット＞
グリルユニット６は、加熱室と、グリル容器と、グリル加熱部と、を有する。グリルユニット６は、前面側に開口を有している。グリルユニット６の開口には、グリルドア４が取り付けられている。なお、本明細書では、グリル容器を第２被加熱物と称する場合がある。
【００３１】
グリル容器は、グリルドア４に着脱可能に取り付けられている。グリル容器は、加熱室内に載置され、加熱室の下方に配置されるグリル加熱部によって誘導加熱される。グリル加熱部は、例えば、１つ又は複数の加熱コイルである。グリル加熱部は、インバータを搭載した制御部８によって制御される。
【００３２】
＜加熱部＞
加熱部７は、トッププレートユニット２の上面側に載置される被加熱物を電磁誘導によって加熱する加熱コイルである。加熱部７の出力は、例えば、インバータを搭載した制御部８によって制御される。加熱部７は、１つ又は複数の加熱コイルによって形成されている。
【００３３】
＜制御部＞
制御部８は、加熱部の加熱を制御する。具体的には、制御部８は、インバータなどの誘導加熱調理器１の制御を行う回路が搭載された制御基板で構成される。制御基板は、例えば、誘導加熱調理器１の制御を行うプログラムを記憶したメモリ（図示せず）と、ＣＰＵ（Ｃｅｎｔｒａｌ  Ｐｒｏｃｅｓｓｉｎｇ  Ｕｎｉｔ）などのプロセッサに対応する処理回路（図示せず）を備える。制御基板は、複数の基板で形成されていてもよい。
【００３４】
＜操作部＞
操作部９は、誘導加熱調理器１の機能及び設定等を操作する。例えば、操作部９は、ユーザから加熱温度、加熱時間などの情報の入力を受け、制御部８に情報を送信する。制御部８は、操作部９から情報を受信し、受信した情報に基づいてグリルユニット６及び加熱部７を制御する。
【００３５】
筐体３について詳細に説明する。図４は、筐体３の一例の斜視図である。
【００３６】
図４に示すように、筐体３は、第１外郭ケース１０と、第２外郭ケース２０と、バックケース３０と、仕切り部材３１と、を備える。第１外郭ケース１０と第２外郭ケース２０とは、筐体３の底部と側部とを形成している。バックケース３０は、筐体３の後方側の部分を形成している。仕切り部材３１は、筐体３の内部を複数の空間Ｓ１，Ｓ２，Ｓ３に仕切っている。
【００３７】
実施の形態１では、仕切り部材３１は、仕切り部材３１と第１外郭ケース１０との間に形成される第１空間Ｓ１、仕切り部材３１と第２外郭ケースとの間に形成される第２空間Ｓ２、及び仕切り部材３１とトッププレートユニット２との間に形成される第３空間Ｓ３とを仕切っている。
【００３８】
図５は、第１外郭ケース１０と第２外郭ケース２０とを組み立てた状態の一例の斜視図である。図６は、第１外郭ケース１０及び第２外郭ケース２０の一例の分解斜視図である。
【００３９】
＜第１外郭ケース＞
図５及び図６に示すように、第１外郭ケース１０は、第１底面部１１、第１側壁部１２、及び第２側壁部１３を有する。第１底面部１１は、一端Ｅ１１と他端Ｅ１２とを有する。第１側壁部１２は、第１底面部１１の一端Ｅ１１から上方へ向かって延びる。第２側壁部１３は、第１底面部１１の他端Ｅ１２から上方へ向かって延びる。
【００４０】
第１外郭ケース１０は、一枚の板状部材を屈曲することによって形成されている。具体的には、第１外郭ケース１０は、板状部材の一端を上方に向かって屈曲させると共に、板状部材の他端を上方に向かって屈曲することによって形成されている。
【００４１】
第１底面部１１は、上面視において、即ち、Ｚ方向から見て、矩形形状を有する。第１底面部１１は、筐体３の底部の一部を形成している。
【００４２】
第１側壁部１２は、第１底面部１１のＸ方向における一端Ｅ１１から上方へ向かって延びている。第１側壁部１２の延びる方向（Ｚ方向）は、第１底面部１１の延びる方向（Ｘ方向）と直交している。第１側壁部１２は、筐体３の側部を形成している。
【００４３】
第２側壁部１３は、第１底面部１１のＸ方向における他端Ｅ１２から上方へ向かって延びている。第２側壁部１３の延びる方向（Ｚ方向）は、第１底面部１１の延びる方向（Ｘ方向）と直交している。第２側壁部１３は、第１側壁部１２と比べて短い。言い換えると、第１側壁部１２は、第２側壁部１３と比べて長い。即ち、第１側壁部１２の高さ（Ｚ方向の長さ）は、第２側壁部１３と比べて高くなっている。
【００４４】
第２側壁部１３は、第１外郭ケース１０の内部（第１空間Ｓ１）と第２外郭ケース２０の内部（第２空間Ｓ２）とを仕切っている。
【００４５】
第１外郭ケース１０は、誘導加熱調理器１の奥行き方向（Ｙ方向）から見て凹状に形成されている。
【００４６】
＜第２外郭ケース＞
第２外郭ケース２０は、一端Ｅ２１と他端Ｅ２２とを有する第２底面部２１と、第２底面部２１の他端Ｅ２２から上方へ向かって延びる第３側壁部２２と、を有する。
【００４７】
第２外郭ケース２０は、一枚の板状部材を屈曲することによって形成されている。具体的には、第２外郭ケース２０は、板状部材の一方の端部を上方に向かって屈曲することによって形成されている。
【００４８】
第２底面部２１は、上面視において、即ち、Ｚ方向から見て、矩形形状を有する。第２底面部２１は、筐体３の底部の一部を形成している。第２底面部２１の幅（Ｘ方向の長さ）Ｌ２は、第１底面部１１の幅（Ｘ方向の長さ）Ｌ１よりも短い。言い換えると、第１底面部１１の幅（Ｘ方向の長さ）Ｌ１は、第２底面部２１の幅（Ｘ方向の長さ）Ｌ２より長い。
【００４９】
第３側壁部２２は、第２底面部２１のＸ方向における他端Ｅ２２から上方へ向かって延びている。第３側壁部２２の延びる方向（Ｚ方向）は、第２底面部２１の延びる方向（Ｘ方向）と直交している。第３側壁部２２は、筐体３の側部を形成している。第３側壁部２２は、第２側壁部１３と比べて長い。
【００５０】
第２外郭ケース２０は、誘導加熱調理器１の奥行き方向（Ｙ方向）から見てＬ字状に形成されている。
【００５１】
第２底面部２１の一端Ｅ２１は、第１底面部１１の他端Ｅ１２側に接続される。具体的には、第２底面部２１の一端Ｅ２１は、第１底面部１１の他端Ｅ１２側の下面に配置される。即ち、第２底面部２１の一端Ｅ２１は、上面視において、第１底面部１１の他端Ｅ１２側の部分に重なるように配置される。第１底面部１１と第２底面部２１とが重なった部分に、複数のビス１４を取り付けることによって、第１底面部１１と第２底面部２１と接続し、固定している。
【００５２】
図７は、図５に示す第１外郭ケース１０及び第２外郭ケース２０の接続部分（Ｚ１部分）を拡大した部分拡大図である。図７に示すように、第２外郭ケース２０の第２底面部２１の一端Ｅ２１は、第１外郭ケース１０の第１底面部１１の他端Ｅ１２の下面側に配置されると共に、複数のビス１４によって固定されている。
【００５３】
実施の形態１では、３つのビス１４によって、第１外郭ケース１０と第２外郭ケース２０とを接続し、固定しているが、これに限定されない。第１外郭ケース１０と第２外郭ケース２０とは、１つ又は複数のビス１４によって固定されていればよい。
【００５４】
このように、図５〜７に示すように、筐体３は、第１外郭ケース１０と第２外郭ケース２０とを組み合わせることによって形成されている。これにより、筐体３の強度を向上させることができ、撓みを抑制することができる。
【００５５】
＜バックケース＞
バックケース３０は、筐体３の後方部分を形成する。バックケース３０は、一枚の板状部材で形成されている。
【００５６】
＜仕切り部材＞
仕切り部材３１は、第１外郭ケース１０の第２側壁部１３の上端に配置される。また、仕切り部材３１は、第１外郭ケース１０の第１側壁部１２と第２外郭ケース２０の第３側壁部２２によって保持される。具体的には、仕切り部材３１の一端は、第１外郭ケース１０の第１側壁部１２の内壁に配置されると共に、仕切り部材３１の他端は、第２外郭ケース２０の第３側壁部２２の内壁に配置される。例えば、仕切り部材３１の一端は、第１側壁部１２の内壁に形成された凸部に配置され、仕切り部材３１の他端は、第３側壁部２２の内壁に形成された凸部に配置される。これにより、仕切り部材３１と第１外郭ケース１０との間に形成される第１空間Ｓ１、仕切り部材３１と第２外郭ケースとの間に形成される第２空間Ｓ２、及び仕切り部材３１とトッププレートユニット２との間に形成される第３空間Ｓ３を形成している。
【００５７】
実施の形態１では、第１空間Ｓ１には、グリルユニット６が配置される。第２空間Ｓ２には、制御部８である制御基板が配置される。例えば、第２空間Ｓ２には、グリルユニット６を制御するためのインバータを搭載した制御基板などが配置される。第３空間Ｓ３には、加熱部７、及び制御部８が配置される。例えば、第３空間Ｓ３には、複数の加熱コイル、及び複数の加熱コイルを制御するインバータを搭載した制御基板等が配置される。
【００５８】
図８は、第１外郭ケース１０にグリルユニット６を配置した状態の一例を示す斜視図である。図８においては、説明を容易にするため、グリルユニット６を構成するいくつかの要素の図示が省略されている。図８に示すように、グリルユニット６は、第１外郭ケース１０の内部に配置される。具体的には、グリルユニット６は、第１外郭ケース１０と仕切り部材３１との間に形成される第１空間Ｓ１に配置される。
【００５９】
第１外郭ケース１０は、第１底面部１１の一端Ｅ１１及び他端Ｅ１２にそれぞれ第１側壁部１２及び第２側壁部１３が形成されているため、他端Ｅ２２にのみ第３側壁部２２が形成されている第２外郭ケース２０と比べて強度が高い。このため、加熱部７及び制御部８に比べて重いグリルユニット６を第１外郭ケース１０に配置することによって、筐体３が下方向へ撓むことを更に抑制することができる。
【００６０】
図９は、第１外郭ケース１０に複数のレールユニット３２が取り付けられた状態の一例を示す斜視図である。図１０は、第１外郭ケース１０に複数のレールユニット３２が取り付けられた状態の一例を示す別の斜視図である。図９及び図１０に示すように、第１外郭ケース１０の内部には、複数のレールユニット３２が取り付けられている。実施の形態１では、２つのレールユニット３２が第１外郭ケース１０の内部に取り付けられている。２つのレールユニット３２は、第１外郭ケース１０の内部において、互いに対向するように配置されている。なお、レールユニット３２の数は、２つに限定されない。例えば、レールユニット３２の数は、１つ以上であればよい。
【００６１】
複数のレールユニット３２は、第１外郭ケース１０の内部において、第１側壁部１２及び第２側壁部１３にそれぞれ配置されている。また、図８に戻って、複数のレールユニット３２は、グリルユニット６の側方に配置されている。グリルユニット６の側方とは、グリルユニット６の幅方向（Ｘ方向）における両側を意味する。具体的には、複数のレールユニット３２は、グリルユニット６の側方であって、グリルユニット６の底面より上方、且つグリルユニット６の上面より下方に配置されている。
【００６２】
＜レールユニット＞
図９及び図１０に示すように、レールユニット３２は、例えば、レール３３と、レールカバー３４とを備える。
【００６３】
レール３３は、誘導加熱調理器１の奥行き方向（Ｙ方向）に延びるアウターレールと、アウターレールの内部にスライド可能に支持されるインナーレールと、を備える。インナーレールは、アウターレールの内部をスライドし、アウターレールからアウターレールの延びる方向（Ｙ方向）に移動する。具体的には、インナーレールの一端は、誘導加熱調理器１の前面側に向かって移動する。
【００６４】
レール３３の一端は、グリルドア４に接続されている。具体的には、レール３３のインナーレールの一端は、グリルドア４に接続されている。言い換えると、グリルドア４は、インナーレールの一端で支持されている。したがって、グリルドア４が誘導加熱調理器１の前面側に引かれたときに、インナーレールが誘導加熱調理器１の前面側へ移動する。このように、グリルドア４は、レール３３によって開閉を行うことができる。
【００６５】
レールカバー３４は、レール３３を保護するカバーである。レールカバー３４は、インナーレールが移動する部分を除いて、レール３３の外側を覆っている。
【００６６】
複数のレールユニット３２を、第１外郭ケース１０の内部において、第１側壁部１２及び第２側壁部１３にそれぞれ配置することによって、筐体３の強度を向上させることができる。また、複数のレールユニット３２の組み立ての誤差を小さくすることができる。
【００６７】
複数のレールユニット３２を、グリルユニット６の側方に配置することによって、グリルユニット６の加熱室のサイズを大きくすることができる。
【００６８】
図１１は、第１外郭ケース１０から複数のレール３３を引き出した状態の一例を示す斜視図である。図１１に示すように、複数のレール３３は、誘導加熱調理器１の前面側に向かって、スライド移動する。
【００６９】
図１２は、第１外郭ケース１０及び第２外郭ケース２０の一例を上から見た斜視図である。図１３は、第１外郭ケース１０の一例の平面図である。図１２及び図１３に示すように、第１外郭ケース１０は、複数のレールユニット３２の間に配置され、且つグリルドア４に接続される複数のアーム３５を備える。
【００７０】
複数のアーム３５は、それぞれ、第１外郭ケース１０内に配置された複数のアームガイド３６によって案内される。具体的には、複数のアームガイド３６は、第１外郭ケース１０の内部において、第１側壁部１２及び第２側壁部１３にそれぞれ配置される。
【００７１】
実施の形態１では、第１外郭ケース１０は、２つのアーム３５、及び２つのアームガイド３６を有する。２つのアーム３５は、第１外郭ケース１０の内部において、互いに対向するように配置される。なお、アーム３５の数は、２つに限定されない。アーム３５の数は、１つ以上あればよい。同様に、アームガイド３６の数は、２つに限定されない。アームガイド３６の数は、１つ以上あればよい。
【００７２】
＜アーム＞
アーム３５は、金属製の棒状部材で形成されている。アーム３５の一端は、グリルドア４に接続されている。アーム３５は、アームガイド３６により案内されて、誘導加熱調理器１の前面側に向かって移動可能である。具体的には、グリルドア４が誘導加熱調理器１の前面側に引っ張られたときに、アーム３５はグリルドア４と共に誘導加熱調理器１の前面側に向かって移動する。
【００７３】
アーム３５は、グリルドア４が誘導加熱調理器１の前面側に引かれて開かれたときに、グリル容器が脱落することを防止する。具体的には、グリル容器は、グリルドア４に取り付けられている。このため、グリルドア４が誘導加熱調理器１の前面側に引かれると、グリル容器は、グリルドアと共に誘導加熱調理器１の前面側に向かって移動する。このとき、アーム３５がグリル容器の下方に配置されることによって、アーム３５によってグリル容器が脱落することを防止できる。
【００７４】
＜アームガイド＞
アームガイド３６は、アーム３５の移動方向、即ち誘導加熱調理器１の前面側に向かう方向に沿って設けられている。アームガイド３６は、アーム３５が移動可能な溝を有している。アーム３５は、アームガイド３６に設けられた溝内を移動することによって、誘導加熱調理器１の前面側に向かう方向に案内される。
【００７５】
図１４は、グリルドア４を開いた状態の一例を示す斜視図である。図１５は、グリルドア４を開いた状態の一例を示す別の斜視図である。なお、図１４では、説明を容易にするため、グリル容器３７の図示を省略している。図１４及び図１５に示すように、グリルドア４を誘導加熱調理器１の前面側に引いたとき、グリルドア４に取り付けられたグリル容器３７がグリルユニット６の加熱室の中から外へと引き出される。
【００７６】
このとき、第１外郭ケース１０から、複数のレール３３と複数のアーム３５とが引き出される。複数のレール３３は、グリルユニット６の側方から誘導加熱調理器１の前面側に向かって移動する。複数のレール３３は、グリル容器３７の側方に配置される。このため、グリル容器３７の側方を複数のレール３３によって覆うことができる。これにより、加熱されたグリル容器３７の側方にユーザの指などが接触することを抑制することができる。
【００７７】
複数のアーム３５は、複数のレール３３の間で誘導加熱調理器１の前面側に向かって移動する。このとき、複数のアーム３５は、グリル容器３７の下方に配置される。このため、グリル容器３７が脱落するのを防止することができる。
【００７８】
図１２及び図１３に戻って、第１外郭ケース１０の第１底面部１１の上面には、水分を貯水するための複数の凹部１５が形成されている。また、第２外郭ケース２０の第２底面部２１の上面には、水分を貯水する複数の凹部２３が形成されている。
【００７９】
＜凹部＞
複数の凹部１５，２３は、グリルユニット６等から生じた水分又は筐体３の外部から内部に浸入してきた水分を貯留するための部分である。
【００８０】
複数の凹部１５は、第１外郭ケース１０の第１底面部１１の上面に形成されている。複数の凹部１５のそれぞれは、第１外郭ケース１０の上面から下面に向かって窪んだ形状を有する。実施の形態１では、３つの凹部１５が、第１外郭ケース１０の第１底面部１１の上面に形成されている。
【００８１】
複数の凹部２３は、第２外郭ケース２０の第２底面部２１の上面に形成されている。複数の凹部２３のそれぞれは、第２外郭ケース２０の上面から下面に向かって窪んだ形状を有する。実施の形態１では、２つの凹部２３が、第２外郭ケース２０の第２底面部２１の上面に形成されている。
【００８２】
図１６は、第１外郭ケース１０及び第２外郭ケース２０のそれぞれに形成された凹部１５，２３の一例を示す平面図である。図１６において、凹部１５，２３が形成されている位置は、ハッチングによって強調されている。
【００８３】
図１６に示すように、複数の凹部１５は、第１外郭ケース１０の第１底面部１１の上面のほぼ全面に形成されている。また、複数の凹部２３は、第２外郭ケース２０の第２底面部２１の上面のほぼ全面に形成されている。ここで、「ほぼ全面」とは、第１外郭ケース１０又は第２外郭ケース２０を上から見て、第１底面部１１の上面又は第２底面部２１の上面の７０％以上の領域を意味する。
【００８４】
このように、第１外郭ケース１０の第１底面部１１の上面に複数の凹部１５を形成し、第２外郭ケース２０の第２底面部２１の上面に複数の凹部２３を形成することによって、例えば、誘導加熱調理器１の排気口からの溢水による機器の故障又はキッチン内部への漏れを抑制することができる。
【００８５】
なお、実施の形態１では、第１外郭ケース１０の第１底面部１１の上面と、第２外郭ケース２０の第２底面部２１の上面とに、それぞれ、複数の凹部１５，２３が形成されている例について説明したが、これに限定されない。第１外郭ケース１０の第１底面部１１の上面と、第２外郭ケース２０の第２底面部２１の上面とには、それぞれ、１つ又は複数の凹部１５，２３が形成されていてもよい。また、１つ又は複数の凹部１５，２３は、第１外郭ケース１０の第１底面部１１の上面、又は第２外郭ケース２０の第２底面部２１の上面の少なくともいずれか一方に形成されていてもよい。
【００８６】
［効果］
実施の形態１に係る誘導加熱調理器１によれば、以下の効果を奏することができる。
【００８７】
誘導加熱調理器１によれば、筐体３は、第１外郭ケース１０と、第１外郭ケース１０に接続される第２外郭ケース２０と、を有している。第１外郭ケース１０は、一端Ｅ１１と他端Ｅ１２とを有する第１底面部１１と、第１底面部１１の一端Ｅ１１から上方へ向かって延びる第１側壁部１２と、第１底面部１１の他端Ｅ１２から上方へ向かって延びる第２側壁部１３と、を有する。第２外郭ケース２０は、一端Ｅ２１と他端Ｅ２２とを有する第２底面部２１と、第２底面部２１の他端Ｅ２２から上方へ向かって延びる第３側壁部２２と、を有する。また、第２底面部２１の一端Ｅ２１は、第１底面部１１の他端Ｅ１２側に接続される。
【００８８】
このような構成により、筐体３の撓みを抑制し、誘導加熱調理器１の強度を向上させることができる。具体的には、誘導加熱調理器１においては、第１外郭ケース１０と第２外郭ケース２０とによって筐体３の底部と側部を形成している。即ち、筐体３の底部を２つのパーツによって構成することによって、一体形成された外郭ケースよりも、筐体３の底部が撓みにくくなる。このため、誘導加熱調理器１によれば、強度を向上させることができる。
【００８９】
また、第１外郭ケース１０の第３側壁部２２によって、第１外郭ケース１０内部に形成される空間（第１空間Ｓ１）と、第２外郭ケース２０内部に形成される空間（第２空間Ｓ２）とを仕切っている。このため、誘導加熱調理器１の外観において、グリルドア４とフロントパネル５との間の隙間を均一化することができる。これにより、デザイン性を向上させることができる。
【００９０】
また、筐体３の撓みを抑制することができるため、レールユニット３２の摺動性の低下を抑制することができる。更に、筐体３の撓みを抑制することによって、加熱部７と被加熱物との間の距離を一定に保つことができるため、加熱効率の低下を抑制することができる。
【００９１】
筐体３は、筐体３の内部を複数の空間Ｓ１，Ｓ２，Ｓ３に仕切る仕切り部材３１を備える。第１外郭ケース１０の第１側壁部１２及び第２外郭ケース２０の第３側壁部２２は、第１外郭ケース１０の第２側壁部１３と比べて長い。仕切り部材３１は、第２側壁部１３の上端に配置されると共に、第１側壁部１２と第３側壁部２２とに保持される。
【００９２】
このような構成により、筐体３の内部において、グリルユニット６、加熱部７、及び制御部８等を収納する複数の空間Ｓ１，Ｓ２，Ｓ３を形成することができる。また、複数の空間Ｓ１，Ｓ２，Ｓ３に、グリルユニット６、及び加熱部７、制御部８をバランス良く配置することができる。具体的には、筐体３の内部において一箇所に荷重が集中しないように、加熱部７及び／又は制御部８を分散して配置することができる。これにより、筐体３の撓みを抑制することができる。
【００９３】
グリルユニット６は、第１外郭ケース１０の内部に配置される。第１外郭ケース１０は、Ｘ方向の両端が屈曲されて形成されているため、第２外郭ケース２０と比べて強度が高い。なお、強度が高いとは、剛性が高いことを意味する。このため、加熱部７と制御部８と比べて重いグリルユニット６を第１外郭ケース１０の内部に配置することによって、筐体３の撓みを更に抑制することができる。
【００９４】
第１外郭ケース１０は、グリルユニット６に取り付けられるグリルドア４に接続される複数のレールユニット３２を有する。複数のレールユニット３２は、第１外郭ケース１０の内部において、第１側壁部１２及び第２側壁部１３にそれぞれ配置される。
【００９５】
このような構成により、第１外郭ケース１０の強度を向上させることができる。また、レールユニット３２を第１外郭ケース１０の内部において、第１側壁部１２及び第２側壁部１３にそれぞれ配置することによって、レールユニット３２の組立の誤差を小さくすることができる。
【００９６】
複数のレールユニット３２は、グリルユニット６の側方に配置される。このような構成により、グリルユニット６の加熱室のサイズを大きくすることができる。具体的には、グリルユニット６の加熱室の高さを大きくすることができる。例えば、グリルユニット６の高さは、第１外郭ケース１０の第１底面部１１から仕切り部材３１までの範囲で許容される。
【００９７】
第１外郭ケース１０は、複数のレールユニット３２の間に配置されると共に、グリルドア４に接続される複数のアーム３５を備える。このような構成により、グリルドア４を引っ張って開いたときに、グリル容器３７が脱落することを防止することができる。
【００９８】
第１外郭ケース１０は、複数のアーム３５をガイドする複数のアームガイド３６を備える。複数のアームガイド３６は、第１外郭ケース１０の内部において、第１側壁部１２及び第２側壁部１３にそれぞれ配置される。このような構成により、グリルドア４が引かれて開かれたとき、複数のアーム３５が複数のアームガイド３６によって案内され、滑らかに移動することができる。これにより、複数のアーム３５の摺動性が向上する。
【００９９】
第１外郭ケース１０の幅Ｌ１は、第２外郭ケース２０の幅Ｌ２より大きい。このような構成により、第２外郭ケース２０よりも強度の高い第１外郭ケース１０に形成される空間を大きくすることができる。これにより、より重い要素を第１外郭ケース１０に配置しやすくなる。
【０１００】
第２外郭ケース２０の第２底面部２１の一端Ｅ２１は、第１外郭ケース１０の第１底面部１１の他端Ｅ１２の下面側に配置されると共に、１つ又は複数のビス１４によって固定される。このような構成により、第１外郭ケース１０と第２外郭ケース２０とを強固に固定することができる。
【０１０１】
第１外郭ケース１０の第１底面部１１の上面又は第２外郭ケース２０の第２底面部２１の上面には、水分を貯水する１つ又は複数の凹部１５，２３が形成されている。このような構成により、誘導加熱調理器１の排気口からの溢水により機器の故障又はキッチン内部への漏れを抑制することができる。
【０１０２】
なお、実施の形態１では、第１外郭ケース１０にグリルユニット６を配置する構成について説明したが、これに限定されない。例えば、第２外郭ケース２０にグリルユニット６を配置してもよい。
【０１０３】
実施の形態１では、第１外郭ケース１０と第２外郭ケース２０とは、複数のビス１４によって接続し、固定される例について説明したが、これに限定されない。例えば、第１外郭ケース１０と第２外郭ケース２０とは、ネジなどによって接続され、固定されてもよい。
【０１０４】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【０１０５】
本発明に係る誘導加熱調理器は、強度を向上させることができるため、例えば、卓上またはキッチンなどに載置される誘導加熱調理器に有用である。
【符号の説明】
【０１０６】
１      誘導加熱調理器
２      トッププレートユニット
３      筐体
４      グリルドア
５      フロントパネル
６      グリルユニット
７      加熱部
８      制御部
９      操作部
１０    第１外郭ケース
１１    第１底面部
１２    第１側壁部
１３    第２側壁部
１４    ビス
１５    凹部
２０    第２外郭ケース
２１    第２底面部
２２    第３側壁部
２３    凹部
３０    バックケース
３１    仕切り部材
３２    レールユニット
３３    レール
３４    レールカバー
３５    アーム
３６    アームガイド
３７    グリル容器
Ｓ１，Ｓ２，Ｓ３  空間
【図１】
2019192335.tif 000003
【図２】
2019192335.tif 000004
【図３】
2019192335.tif 000005
【図４】
2019192335.tif 000006
【図５】
2019192335.tif 000007
【図６】
2019192335.tif 000008
【図７】
2019192335.tif 000009
【図８】
2019192335.tif 000010
【図９】
2019192335.tif 000011
【図１０】
2019192335.tif 000012
【図１１】
2019192335.tif 000013
【図１２】
2019192335.tif 000014
【図１３】
2019192335.tif 000015
【図１４】
2019192335.tif 000016
【図１５】
2019192335.tif 000017
【図１６】
2019192335.tif 000018